(57)【要約】【課題】ヘッドレスト本体を首振り可能に組み付けるベースとなり、また、ヘッドレスト本体を通常姿勢，前倒し姿勢で位置決め係止するストッパの当接する構成部材を金属製のヘッドレストフレームで構成する。【解決手段】ヘッドレストスティ１の横軸部１２にあてがう軸受け片２０，２１を下端縁に設けたヘッドレストフレーム２を金属平板から形成し、そのヘッドレストフレーム２の軸受け片２０，２１をヘッドレストスティ１の横軸部１２にあてがい配置すると共に、ヘッドレストスティ１の横軸部１２を挟んで弾性変形可能な板バネ３ａ，３ｂをヘッドレストフレーム２の板面と軸受け片２０，２１の下端部との間に掛渡し装着し、金属製のヘッドレストフレーム２をベースに組み立てたヘッドレスト本体４を備える。【選択図】図１
2005111144.tif 000002
【特許請求の範囲】
【請求項１】
ヘッドレスト本体をシートバックの上部に立て付ける縦軸部と、縦軸部の軸上端より水平方向に亘る横軸部とからなるヘッドレストスティを備え、ヘッドレストフレームを弾性変形可能な板バネでヘッドレストスティの横軸部に取り付け、そのヘッドレストフレームをベースに組み立てられるヘッドレスト本体を板バネで通常姿勢，前倒れ姿勢と首振り可能に備える首振り式ヘッドレストにおいて、
ヘッドレストスティの横軸部にあてがう軸受け片を下端縁に設けたヘッドレストフレームを金属平板から形成し、そのヘッドレストフレームの軸受け片をヘッドレストスティの横軸部にあてがい配置すると共に、ヘッドレストスティの横軸部を挟んで弾性変形可能な板バネをヘッドレストフレームの板面と軸受け片の下端部との間に掛渡し装着し、金属製のヘッドレストフレームをベースに組み立てたヘッドレスト本体を備えてなることを特徴とする首振り式ヘッドレスト。
【請求項２】
ヘッドレストスティの横軸部にあてがい配置する軸受け片を設けた前部側のメインフレームと、軸受け片と重なる突片を設けた後部側のサブフレームとを金属平板から形成し、サブフレームをメインフレームの板面に溶接固定すると共に、サブフレーム突片をメインフレームの軸受け片に溶接固定し、メインフレームをサブフレームで補強したヘッドレストフレームを備えてなることを特徴とする請求項１に記載の首振り式ヘッドレスト。
【請求項３】
メインフレーム，サブフレームの相対する下端寄りの各板面を前後方向に膨出させてハウジング部を設け、金属製のストッパをヘッドレストスティの横軸部より立ち上げて設け、そのストッパをハウジング部の相対する前後の各内面と当接可能に収容し、ヘッドレスト本体を通常姿勢，前倒し姿勢にストッパで位置決め支持可能なヘッドレストフレームを備えてなることを特徴とする請求項２に記載の首振り式ヘッドレスト。
【請求項４】
上部側の閉塞するストッパのハウジング部を設けたヘッドレストフレームを備えてなることを特徴とする請求項３に記載の首振り式ヘッドレスト。
【請求項５】
ヘッドレスト本体の通常姿勢でハウジング部の前壁部と当接可能な中央の起立面部と、起立面部より直角方向後方に折れ曲がる左右の側面部とからなり、各側面部の基端寄りを有幅に保って起立面部，側面部の各基端寄りでヘッドレストスティの横軸部に溶接固定し、ヘッドレスト本体の前倒れ姿勢でハウジング部の後壁部と当接可能な傾斜辺を各側面部の突端側に向けて設けたストッパを備えてなることを特徴とする請求項３または４に記載の首振り式ヘッドレスト。
【請求項６】
ヘッドレストスティの横軸部より立ち上がるストッパを中央に、ヘッドレストフレームの板面と軸受け片の下端部との間に掛渡し装着する板バネを左右に設けたヘッドレストフレームを備えてなることを特徴とする請求項３〜５のいずれかに記載の首振り式ヘッドレスト。
【発明の詳細な説明】
【技術分野】
【０００１】
本発明は、ヘッドレスト本体を通常姿勢と前倒し姿勢とに切り換えられる自動車シート用の首振り式ヘッドレストに関するものである。
【背景技術】
【０００２】
従来、自動車シート用の首振り式ヘッドレストとしては、樹脂材料から中空状にブロー成形したヘッドレストフレームと、パイプ部材をコの字状に軸線曲げしたヘッドレストスティとを備え、ヘッドレストフレームをヘッドレストスティの横軸部に取り付けることにより、ヘッドレストフレームをベースに組み立てるヘッドレスト本体を通常姿勢と前倒し姿勢とに切り換えられるよう構成するものが提案されている（特許文献１）。
【０００３】
そのヘッドレストの首降り機構は、ヘッドレストスティの上部側をヘッドレストフレームの中空内に挿置し、上部側をヘッドレストフレームの前壁部に設けた開口より外部に露出させて軸受けプレートを半円状の湾曲部でヘッドレストフレームの内側からヘッドレストスティの横軸部にあてがい、一方、弾性変形可能な板バネをヘッドレストフレームの開口からヘッドレストスティの横軸部にあてがうと共に、板バネの上端側を軸受けプレートの上部寄り板面に設けた切欠穴に挿通させて掛け止め、更に、下端側を軸受けプレートとボルト締め固定し、ヘッドレストスティの横軸部を軸受けプレートと板バネとで挟み込むことにより構成されている。
【０００４】
その首振り機構中、ヘッドレストフレームは前壁部の開口より下側の壁部を軸受けプレートと板バネとで挟み込むと共に、三者を一体にボルト締め固定することから、ヘッドレスト本体を通常姿勢と前倒し姿勢とに切り換えられるようヘッドレストスティの横軸部に取り付けられている。
【０００５】
その首振り式ヘッドレストには、ヘッドレスト本体を通常姿勢，前倒し姿勢にストッパで位置決め支持するストッパが組み付けられている。このストッパは、丸棒部材をＬ字状に折り曲げてなり、縦軸部の軸基端をヘッドレストスティの横軸部にあてがって溶接固定することから、横軸部をヘッドレストスティの横軸部と平行に向けてヘッドレストスティの横軸部より逆Ｌ字状に立ち上がるよう取り付けられている。
【０００６】
そのストッパは、ヘッドレストフレームの内側で前後の壁部面に当接することにより、ヘッドレスト本体を通常姿勢，前倒し姿勢に位置決め支持するよう組み付けられている。
【０００７】
このように先に提案されている首振り式ヘッドレストでは、ヘッドレスト本体を首振り可能に組み付けるベースとなり、また、ストッパが当接する構成部材が中空な樹脂製のヘッドレストフレームで組み立てられている。
【特許文献１】特開２００１−７００８５号公報
【発明の開示】
【発明が解決しようとする課題】
【０００８】
解決しようとする課題は、ヘッドレスト本体を首振り可能に組み付けるベースとなり、また、ストッパが当接する構成部材が中空な樹脂製のヘッドレストフレームであることによる強度面である。
【課題を解決するための手段】
【０００９】
本発明は、ヘッドレストスティの横軸部にあてがう軸受け片を下端縁に設けてヘッドレストフレームを金属平板から形成し、そのヘッドレストフレームの軸受け片をヘッドレストスティの横軸部にあてがい配置すると共に、ヘッドレストスティの横軸部を挟んで弾性変形可能な板バネをヘッドレストフレームの板面と軸受け片の下端部との間に掛渡し装着し、金属製のヘッドレストフレームをベースに組み立てたヘッドレスト本体を備えてなることを最も主要な特徴とする。
【発明の効果】
【００１０】
本発明に係る首振り式ヘッドレストは、金属製のヘッドレストフレームをベースに組み立てたヘッドレスト本体を備えてなるため、度重なる首振り動作や強い外力が加わっても十分に耐えられて使用耐久性を向上することができる。
【００１１】
上述した特徴に加えて、本発明は、ヘッドレストスティの横軸部にあてがい配置する軸受け片を設けた前部側のメインフレームと、軸受け片と重なる突片を設けた後部側のサブフレームとを金属平板から形成し、サブフレームをメインフレームの板面に溶接固定すると共に、サブフレーム突片をメインフレームの軸受け片に溶接固定し、メインフレームをサブフレームで補強したヘッドレストフレームを備えることを特徴とする。これにより、ヘッドレストフレームの強度を高められて使用耐久性をより向上することができる。
【００１２】
本発明は、メインフレーム，サブフレームの相対する下端寄りの各板面を前後方向に膨出させてハウジング部を設け、金属製のストッパをヘッドレストスティの横軸部より立ち上げて設け、そのストッパをハウジング部の相対する前後の各内面と当接可能に収容し、ヘッドレスト本体を通常姿勢，前倒し姿勢にストッパで位置決め支持可能なヘッドレストフレームを備えることも特徴とする。これにより、ヘッドレスト本体を通常姿勢乃至は前倒し姿勢に安定よく位置決め規制できる。
【００１３】
本発明は、上部側の閉塞するハウジング部を設けたヘッドレストフレームを備えてなることも特徴とする。これにより、パッド部をヘッドレストフレームと一体に発泡成形しても、発泡樹脂がハウジング部の内部に浸入するのを防げ、ストッパがハウジング部の相対する前後の各内面と当接するのに支障とならないようパッド部を形成できる。
【００１４】
本発明は、ヘッドレスト本体の通常姿勢でハウジング部の前壁部と当接可能な中央の起立面部と、起立面部より直角方向後方に折れ曲がる左右の側面部とからなり、各側面部の基端寄りを有幅に保って起立面部，側面部の各基端寄りでヘッドレストスティの横軸部に溶接固定し、ヘッドレスト本体の前倒れ姿勢でハウジング部の後壁部と当接可能な傾斜辺を各側面部の突端側に向けて設けたストッパを備えることも特徴とする。これにより、ストッパをヘッドレストスティの横軸部に確実に溶接固定できるばかりでなく、ヘッドレスト本体をストッパで通常姿勢乃至は前倒し姿勢に安定よく位置決め規制できる。
【００１５】
本発明は、ヘッドレストスティの横軸部より立ち上がるストッパを中央に、ヘッドレストフレームの板面と軸受け片の下端部との間に掛渡し装着する板バネを左右に設けたヘッドレストフレームを備えることも特徴とする。これにより、ヘッドレスト本体を板バネで通常姿勢，前倒し姿勢に安定よく姿勢換えできると共に、ストッパで通常姿勢，前倒し姿勢に安定よく位置決め規制できる。
【発明を実施するための最良の形態】
【００１６】
図示実施の形態は、自動車シート用の首振り式ヘッドレストとして構成されている。図１は同ヘッドレストの正面図であり、図２は同ヘッドレストの背面図である。図３は図１のＡ−Ａ線で示す断面図であり、図４は図１のＢ−Ｂ線で示す断面図である。各図中、符号１はヘッドレストスティ、２はヘッドレストフレーム、３ａ，３ｂは板バネ、４はヘッドレスト本体、５はストッパである。
【００１７】
ヘッドレストスティ１はパイプ部材を軸線曲げ形成したもので、ヘッドレスト本体４をシートバックの上部に立て付ける左右の縦軸部１０，１１と、縦軸部１０，１１の上端間に亘る横軸部１２とからコの字状に軸線曲げ形成されている。このヘッドレストスティ１は、ヘッドレスト本体４の通常姿勢を所定角の前傾姿勢に保つことから、ヘッドレストスティ１の上部側は各縦軸部１０，１１より斜め後方に向かって折り曲げられている（図３参照）。
【００１８】
そのヘッドレストスティ１の横軸部１２には、後述する板バネ３ａ，３ｂの折曲げ爪部がヘッドレスト本体４の通常位置，前倒し位置で噛合するよう軸線方向に向かって直線状の凹溝１３ａ，１３ｂ、１４（片側は、図面に現われない。）が軸線上の上下に間隔を隔てて設けられている（図４参照）。
【００１９】
ヘッドレストフレーム２は、金属製の平板から形成されている。そのヘッドレストフレーム２は、メインフレーム２ａとサブフレーム２ｂとから形成されている。メインフレーム２ａは、サブフレーム２ｂよりも相対的に広い面積を有し、上部辺から左右に亘ってヘッドレスト本体４の外郭形状に相応するよう楕円形状に形成されている。サブフレームは、メインフレームの補強用として略台形に形取り形成されている（図２参照）。
【００２０】
メインフレーム２ａには、ヘッドレストスティ１の横軸部１ｃにあてがう軸受け片２０，２１が下端縁より下方に伸びるよう左右に設けられている。その軸受け片２０，２１は、ヘッドレストスティ１の横軸部１２を後側の略半分を受け入れる半円弧部２０ａと、メインフレーム２ａの下端縁に至る上片部２０ｂと、後述するように板バネ３ａ，３ｂの下端側を嵌込み係止する掛止め穴２０ｃを設けた下片部２０ｄとを備えて形成されている（図４参照）。
【００２１】
サブフレーム２ｂには、半円弧状の突片２２，２３が下端縁より突出させてメインフレーム２ａの軸受け片２０，２１と背後から重なるよう設けられている（図４参照）。
【００２２】
メインフレーム２ａ，サブフレーム２ｂには、ストッパ５のハウジング部２４が下端寄りで相対する中央の各板面を前後方向に膨出させて設けられている（図３参照）。このハウジング部２４は、下部側を開放すると共に、上部側を閉塞した中空状で略四辺形の函形に形成されている。また、ストッパ５がヘッドレスト本体４の通常姿勢で前壁部２４ａと当接し、ヘッドレスト本体４の前倒し姿勢で後壁部２４ｂと当接するよう設けられている。
【００２３】
上述した他に、メインフレーム２ａには基部が前方に向って湾出すると共に、先端側が後方に向かって張り出す縁取りフランジ部２５が楕円形の縁回りに沿って設けられている（図３参照）。また、サブフレーム２ｂには左右の立上りフランジ部２６，２７が突片２２，２３の外縁にまで至るよう設けられている（図４参照）。
【００２４】
サブフレーム２ｂは、抜き穴２８，２９を板面に設けた突片２２，２３を軸受け片２０，２１と重ねてメインフレーム２ａの板面に背後からあてがい、両肩部と突片２２，２３とをメインフレーム２ａに溶接固定（図２の点描部分参照）することにより金属製のヘッドレストフレーム２を構成するよう取り付けられている。
【００２５】
板バネ３ａ，３ｂは、板面略中央をＶ字状に屈曲した折曲げ爪部３０と、折り曲げ爪３０より上方に伸びる上バネ部３１と、折曲げ爪３０より下方に伸びる下バネ部３２とから形成されている（図４参照）。
【００２６】
その板バネ３ａ，３ｂは、折曲げ爪３０をヘッドレストスティ１の横軸部１２に当接配置し、上バネ部３１をヘッドレストフレーム２の板面に挿通するボルト６ａ，７ａとサブフレーム２ｂの板面に溶接固定したナット６ｂ，７ｂとで締付け固定すると共に、下バネ部３２を軸受け片２０の掛止め穴２０ｃに嵌込み係止することにより、ヘッドレストスティ１の横軸部１２を軸受け片２０とで挟み込むことから弾性変形可能にヘッドレストフレーム２の板面と軸受け片２０の下端部との間に掛渡し装着されている。
【００２７】
その板バネ３ａ，３ｂとからヘッドレストスティ１の横軸部１２を挟み込む軸受け片２０，２１を含み、ヘッドレストフレーム２は全体が金属平板で形成されているため、ヘッドレスト本体４の度重なる首振り動作や強い外力が加わっても十分に耐えられて使用耐久性を向上できる。また、メインフレーム２ａをサブフレーム２ｂで補強することから、ヘッドレストフレーム２としてより強度を高められる。
【００２８】
ヘッドレスト本体４は、下面部がスリット（図示せず）で開放された袋状のヘッドレストカバー４ａを備え、ヘッドレストスティ１の上部側を含むヘッドレストフレーム２の全体をヘッドレストカバー４ａの内部に挿置し、パッド部４ｂをヘッドレストカバー４ａと一体に発泡成形することにより、ヘットレストフレーム２をベースに組み立てられている。なお、ヘッドレストカバー４ａのスリットはパッド部４ｂの発泡成形後に封止処理される。
【００２９】
そのパッド部４ｂは、ヘッドレストスティ１の突出側を上方に向けてヘッドレストカバー４ａを成形型の型内に組み付け、発泡樹脂を下面部のスリットよりヘッドレストカバー４ａの内部に注入することにより発泡成形される。
【００３０】
そのパッド部４ｂの発泡成形の際、発泡樹脂がヘッドレストカバー４ａの下奥側からヘッドレストスティ１の突出する上部側に向けて体積を増大するが、ストッパ５のハウジング部２４が成形型の型内で下向きに位置する上部側を閉塞させて形成されているため、発泡樹脂をハウジング部２４の内部まで入り込ませないでパッド部４ｂを形成できる（図３参照）。
【００３１】
ストッパ５は、中央の起立面部５０と、起立面部５０より直角方向後方に折れ曲がる左右の側面部５１，５２とを備えて金属平板から折曲げ形成されている。このストッパ５は、各側面部５１の基端寄りを有幅に保って起立面部５０，側面部５１の各基端寄りでヘッドレストスティ１の横軸部１２に溶接（図３の点描部分参照）固定することにより、ヘッドレスト本体４の傾斜角に合わせてヘッドレストスティ１の横軸部１２より前傾姿勢に立ち上がるよう安定よく取り付けられている。
【００３２】
そのストッパ５は、傾斜辺５３（片側は、図面に現われない。）を各側面部５１の突端側に向けて設け（図３参照）、中央の起立面部５０がヘッドレスト本体４の通常姿勢でハウジング部の前壁部２４ａと当接し、傾斜辺５３がヘッドレスト本体４の前倒れ姿勢でハウジング部の後壁部２４ｂと当接するよう備え付けられている。
【００３３】
そのストッパ５は、ヘッドレストスティ１の横軸部１２より軸線方向中央で立ち上がり、上述したヘッドレストフレーム２の板面と軸受け片２０，２１の下端部との間に掛渡し装着する板バネ３ａ，３ｂが左右に備え付けられている。
【００３４】
このように構成する首振り式ヘッドレストでは、図３で示すようにヘッドレスト本体４が通常姿勢に立て付けられているときに、ストッパ５が起立面部５０でハウジング部２４の前壁部２４ａと当接し、また、図４で示すように板バネ３ａが折曲げ爪部３０でヘッドレストスティ１の横軸部１２に設けられた上凹溝１３ａと噛合することから、ヘッドレスト本体４の立付け姿勢が安定よく保たれる。
【００３５】
そのヘッドレスト本体４を前倒しに姿勢換えすると、図５で示すように板バネ３ａが折曲げ爪部３０でヘッドレストスティ１の横軸部１２に設けられた下凹溝１４と噛合し、また、図６で示すようにストッパ５が側面部５１の傾斜辺５３でハウジング部２４の後壁部２４ｂと当接することにより、ヘッドレスト本体４の前倒し姿勢が安定よく保たれる。
【００３６】
その首振り式ヘッドレストは、ヘッドレスト本体４が金属製のヘッドレストフレーム２をベースに組み立てられていると共に、ストッパ５がヘッドレストフレーム２に設けられたハウジング部２４の各壁部２４ａ，２４ｂと当接するよう備え付けられているため、度重なる首振り動作や強い外力が加わっても十分に耐えられて使用耐久性を向上できる。
【００３７】
それに加えて、ヘッドレストスティ１の横軸部１２より立ち上がるストッパ５が中央に、ヘッドレストフレーム２の板面と軸受け片２０，２１の下端部との間に掛渡し装着する板バネ３ａ，３ｂが左右に設けられたヘッドレストフレーム２を備えるため、ヘッドレスト本体４を板バネ３ａ，３ｂで安定よく通常姿勢，前倒し姿勢に姿勢換えできると共に、ストッパ５で安定よく通常姿勢，前倒し姿勢に位置決め規制できる。
【００３８】
上述した実施の形態では、コの字状に軸線曲げしたヘッドレストスティを備える場合に基づいて説明したが、略逆Ｌ字状に軸線曲げした片持ち型のヘッドレストスティや一本の縦軸部を横軸部の中央に設けるＴ字状のヘッドレストスティを備えるものにでも適用できる。
【００３９】
その首振り式ヘッドレストは、図７で示すようにヘッドレストＨをシートバックＢの上部に立付け装備し、図８で示すようにシートクッションＣを後部側から上方に跳ね上げると共に、ヘッドレストＨを前倒し姿勢でシートバックＢを前倒しに折り畳んでヘッドレストＨをシートクッションＣとシートバックＢとの間に収込み収納する自動車用シートに備え付けられる。
【図面の簡単な説明】
【００４０】
【図１】本発明に係る首振り式ヘッドレストを示す正面図である。
【図２】図１のヘッドレストを示す背面図である。
【図３】図１のヘッドレストを通常姿勢で示すＡ−Ａ線断面図である。
【図４】図１のヘッドレストを通常姿勢で示すＢ−Ｂ線断面図である。
【図５】図１のヘッドレストを前倒し姿勢で示すＡ−Ａ線断面図である。
【図６】図１のヘッドレストを前倒し姿勢で示すＢ−Ｂ線断面図である。
【図７】図１のヘッドレストを備える自動車用シートを着座姿勢で示す斜視図である。
【図８】図１のヘッドレストを備える自動車用シートを折畳み姿勢で示す斜視図である。
【符号の説明】
【００４１】
１              ヘッドレストスティ
１０，１１      ヘッドレストスティの縦軸部
１２            ヘッドレストスティの横軸部
２              ヘッドレストフレーム
２ａ            ヘッドレストフレームのメインフレーム
２ｂ            ヘッドレストフレームのサブフレーム
２０，２１      メインフレームの軸受け片
２２，２３      サブフレームの突片
２４            ハウジング部
２４ａ          ハウジング部の前壁部
２４ｂ          ハウジング部の後壁部
３ａ，３ｂ      板バネ
４              ヘッドレスト本体
５              ストッパ
５０            ストッパの起立面部
５１，５２      ストッパの側面部
５３            側面部の傾斜辺
Ｈ              ヘッドレスト
Ｂ              シートバック
【図１】
2005111144.tif 000003
【図２】
2005111144.tif 000004
【図３】
2005111144.tif 000005
【図４】
2005111144.tif 000006
【図５】
2005111144.tif 000007
【図６】
2005111144.tif 000008
【図７】
2005111144.tif 000009
【図８】
2005111144.tif 000010